(57)【要約】【課題】  十分なロック強度を確保し、かつ装置の薄型化の要請を満たしつつ、リッドの閉止を軽くできる電子機器のリッドロック機構を提供する。【解決手段】  筐体２の開口部２ａにＭＤを着脱するためのリッド３を回動自在に設け、筐体２の開口部２ａにロック爪１１をその開口縁に沿って移動自在に設ける一方、リッド３には、ロック爪１１と係合する固定爪１５を設け、ロック爪１１を付勢してロック位置に保持するスプリング１０を設けてなる電子機器のリッドロック機構において、ロック爪１１の傾斜面２０を、固定爪１５と当接する箇所Ｐの傾斜がリッド３の閉止の進行にともなって徐々に大きくなるように湾曲させてある。【選択図】  図１
2005222619.tif 000002
【特許請求の範囲】
【請求項１】
筐体の開口部に記録媒体を着脱するためのリッドを回動自在に設け、上記筐体の開口部にロック爪をその開口縁に沿って移動自在に設ける一方、上記リッドには、該ロック爪と係合する固定爪を設け、上記ロック爪を付勢してロック位置に保持するスプリングを設け、上記リッドを閉止する際、上記固定爪がロック爪の傾斜面を慴動して、該ロック爪を上記スプリングの付勢力に抗して移動させ、上記固定爪がロック爪の傾斜面から滑落すると、上記ロック爪がロック位置まで復帰して上記固定爪と係合するように構成した電子機器のリッドロック機構において、上記ロック爪の傾斜面を、上記固定爪と当接する箇所の傾斜が上記リッドの閉止の進行にともなって徐々に大きくなるように湾曲させたことを特徴とする電子機器のリッドロック機構。
【請求項２】
上記ロック爪の傾斜面を略円弧に形成したことを特徴とする請求項１に記載の電子機器のリッドロック機構。
【発明の詳細な説明】
【技術分野】
【０００１】
本発明は、筐体の開口部に記録媒体を着脱するためのリッドをヒンジ結合した電子機器のリッドロック機構に関する。
【背景技術】
【０００２】
図１２はＭＤ（Mini Disc）の記録再生装置を示している。
この記録再生装置１は、筐体２の開口部２ａにリッド３をヒンジ４を介して取り付けてある（図１３参照）。このリッド３の裏面には、記録媒体であるＭＤを装着するためのガイド部材５を一対設けてある。リッド３のロック機構は次のように構成してある。
【０００３】
筐体２の周壁部２ｂの裏面には、ロックレバー６を開口縁２ｃに沿って移動自在に設置してある。このロックレバー６はプレートを打ち抜いて形成したもので、長手方向に延びる長孔７を一対備えている（図７参照）。ロックレバー６はこれら長孔７,７を筐体２のボス部８に係合させて筐体２に移動自在に組み付けてある。ロックレバー６は下端にスプリング係止部９を備え、この係止部９と筐体２の間にスプリング１０を架設してある。これによって、ロックレバー６はスプリング１０で付勢されて長孔７の側縁を筐体２のボス部８に押し付け、図７のロック位置に保持されることなる。なお、ロックレバー６はイジェクトツマミ（図示せず）と連動してロック位置とロック解除位置の間を移動する。
【０００４】
ロックレバー６の上端にはロック爪１１が形成してある。このロック爪１１には、図１０に示すような傾斜面１２と、この傾斜面１２の下端に連なる係合面１３とを形成してある。一方、リッド３の周壁部３ａの裏面には係止プレート１４を固設してある。この係止プレート１４の側端には、リッド３の閉止時にロック爪１１と係合する固定爪１５を形成してある。この固定爪１５は、ロック爪１１の傾斜面１２よりも傾斜の緩やかな傾斜面１６と、この傾斜面１６の上端に連なる係止面１７とを形成してある。
【０００５】
次に、このロック機構の動作について説明する。
リッド３が閉止している時には、図９に示すようにロックレバー６がスプリング１０で付勢されてロック位置に保持され、ロックレバー６のロック爪１１が係止プレート１４の固定爪１５と係合してリッド３の開成を阻止している。イジェクトツマミを操作してロックレバー６をロック解除位置まで移動させると、ロック爪１２の固定爪１５に対する係合が解除され、リッド３がスプリング（図示せず）で付勢されて開成することになる（図７参照）。なお、リッド３はストッパー手段（図示せず）によって所定の開度を保つようにしてある（図１２参照）。
【０００６】
いま、リッド３を閉止しようとすると、固定爪１５の傾斜面１６がロック爪１１の傾斜面１２に当接する（図８参照）。固定爪１５の傾斜面１６はロック爪１１の傾斜面１２よりも傾斜が緩やかであるため、これら傾斜面１２,１５はその上部同士が当接することになる（図１０参照）。リッド３の閉止が進行するのにともなって、固定爪１５がロック爪１１の傾斜面１２を慴動して、ロックレバー６をスプリング１０の付勢力に抗して図中右方へ移動させさせる。
【０００７】
リッド３が全閉状態に達すると、固定爪１５がロック爪１１の傾斜面１２から滑落し、ロックレバー６がスプリング１０で付勢されて復動を開始する。ロック爪１１がロック位置まで復帰すると、ロック爪１１の係合面１３が固定爪１５の係止面１７と係合し、リッド３のロックが行なわれる（図９参照）。
【発明の開示】
【発明が解決しようとする課題】
【０００８】
このロック機構では、ロックレバー６をスプリング１０で付勢してロック位置に保持しているため、ロックレバー６の移動量に比例してスプリング１０の付勢力が増加する。また、ロック爪１１は傾斜面１２の傾斜が一定であって、この傾斜面１２を固定爪１５が慴動するため、ロック爪１１と固定爪１５の移動量の比も一定になる。このため、リッド３に作用する閉止時の反力Ｆは、図１１に示すようにロックレバー６の移動量Ｌに比例して増加する。
【０００９】
つまり、ロック爪１１をロックに必要な量ａだけ移動させると、リッド３の反力Ｆはｂとなり、リッド３の閉止が重く感じられる。反力Ｆを適度な値ｃにしようとすると、ロックレバー６の移動量はｄしか得られず、ロック爪１１の固定爪１１に対する係合が甘くなり、ロック強度が不足する。一方、ロック爪１１の傾斜面１２の傾斜を大きくすると、ロック爪１１の固定爪１４に対する移動量の比が小さくなるため、反力Ｆも小さくなり、リッド３の閉止が軽くなるが、ロック爪１１が嵩張り、装置の薄型化の妨げとなる。このため、ロック爪１１の傾斜面１２は４５度の傾斜を基本とし、製品の仕様によって傾斜角度の微調整を行なっていたが、装置の薄型化の要請が強く、リッド３の閉止を軽くするのは困難であった。
【００１０】
本発明は、このような事情に鑑み、十分なロック強度を確保し、かつ装置の薄型化の要請を満たしつつ、リッドの閉止を軽くできる電子機器のリッドロック機構を提供することを目的とする。
【課題を解決するための手段】
【００１１】
上記課題を解決するための本発明は、筐体の開口部に記録媒体を着脱するためのリッドを回動自在に設け、上記筐体の開口部にロック爪をその開口縁に沿って移動自在に設ける一方、上記リッドには、該ロック爪と係合する固定爪を設け、上記ロック爪を付勢してロック位置に保持するスプリングを設け、上記リッドを閉止する際、上記固定爪がロック爪の傾斜面を慴動して、該ロック爪を上記スプリングの付勢力に抗して移動させ、上記固定爪がロック爪の傾斜面から滑落すると、上記ロック爪がロック位置まで復帰して上記固定爪と係合するように構成した電子機器のリッドロック機構において、上記ロック爪の傾斜面を、上記固定爪と当接する箇所の傾斜が上記リッドの閉止の進行にともなって徐々に大きくなるように湾曲させたことを特徴とする。
【００１２】
かかる構成によれば、リッドの閉止が進行するのにともなって、ロック爪の傾斜面であって、固定爪と当接する箇所の傾斜が徐々に大きくなる。つまり、ロック爪に作用するスプリングの付勢力が小さい間は、固定爪がロック爪の緩斜面を慴動し、ロック爪の移動量が大きくなる一方、スプリングの付勢力が大きくなると、固定爪がロック爪の急斜面を慴動し、ロック爪の移動量が小さくなり、リッドに作用する反力の増加が抑制されることになる。これによって、ロック爪の十分な移動量を確保しつつ、リッドの閉止を軽くすることができる。
【００１３】
上記ロック爪の傾斜面は略円弧に形成するのが好ましい。
【００１４】
このようにすると、固定爪と当接する箇所の傾斜の変化範囲が広くなり、設計の自由度が高くなる。
【発明の効果】
【００１５】
本発明によれば、十分なロック強度を確保し、かつ装置の薄型化を可能としつつ、リッドの閉止を軽くすることができる。
【発明を実施するための最良の形態】
【００１６】
以下、本発明の実施の形態を添付図面を参照して説明する。
図１は発明を実施する形態の一例であって、図３〜図６のロック機構の要部を拡大して示している。
【００１７】
ロック爪１１の傾斜面２０は、固定爪１５と当接する箇所Ｐの傾斜がリッド３の閉止の進行にともなって徐々に大きくなるように湾曲させてある。この傾斜面２０は、詳しくは円周の約１／４に相当する円弧で形成してある。その他の構成要素は図７〜図１３の従来例と同一であるので、同一の符号を付し説明を省略する。
【００１８】
次に、このロック機構の動作について説明する。
リッド３を閉止しようとすると、固定爪１５がロック爪１１の傾斜面２０の上端部に当接する（図３参照）。リッド３の閉止が進行するのにともなって、固定爪１５がロック爪１１の傾斜面２０を慴動して、ロックレバー６をスプリング１０の付勢力に抗して図中右方へ移動させさせるが、固定爪１１が慴動を開始した段階では、固定爪１５と当接する箇所Ｐの傾斜が小さく、固定爪１５の移動量に較べてロック爪１１の移動量が大きい。つまり、この段階では、スプリング１０の付勢力がまだ小さいため、ロック爪１１の移動量を大きくしても、リッド３に作用する反力は然程大きくなく、リッド３の閉止が重く感じられることはない。
【００１９】
リッド３の閉止が進行すると、固定爪１５と接箇所Ｐがロック爪１１の傾斜面２０の中央部まで達する（図４参照）。この段階では、ロック爪１１が既に移動ストロークの半分以上移動し、スプリング１０の付勢力は相当大きくなっているが、固定爪１５と当接する箇所Ｐの傾斜が約４５度になり、ロック爪１１と固定爪１５の移動量はほぼ等しくなっている。つまり、ロック爪１５は既に相当量移動しているので、これ以降、固定爪１５と当接する箇所Ｐの傾斜を徐々に大きくし、ロック爪１１の移動量を小さくすることで、リッド３に作用する反力の増加を抑えることになる。
【００２０】
リッド３の閉止がさらに進行すると、固定爪１５と当接箇所Ｐがロック爪１１の傾斜面２０の下端部まで達する（図５参照）。この段階では、ロック爪１１が移動ストロークの終点付近に達し、スプリング１０の付勢力がほぼ最大になっているので、固定爪１５と当接する箇所Ｐの傾斜を最大にし、ロック爪１１の移動量をほぼゼロにすることで、リッド３に作用する反力を一定に保っている。
【００２１】
リッド３が全閉状態に達すると、固定爪１５がロック爪１１の傾斜面２０から滑落し、ロックレバー６がスプリング１０で付勢されて復動を開始する。ロック爪１１がロック位置まで復帰すると、ロック爪１１の係合面１３が固定爪１５の係止面１７と係合し、リッド３のロックが行なわれる（図６参照）。
【００２２】
図２はロック爪１１の移動量Ｌとリッド３の反力Ｆの関係を示している。
すなわち、このロック機構では、リッド３の閉止が進行するのにともなって、ロック爪１１の傾斜面２０は固定爪１５と当接する箇所Ｐの傾斜を徐々に大きくしてあるので、十分なロック強度が得られるロック爪１１の移動量ａを確保しても、リッド３に作用する反力Ｆを、従来の値ｂよりも小さい値ｃに抑制することができる。また、ロック爪１１の高さは従来と変わらないので、装置の薄型化の妨げとなることはない。
【００２３】
本発明は、以上の実施形態に限定されるものではなく、本発明の要旨を逸脱しない範囲内において種々の変形が可能である。
例えば、ロック爪１１の傾斜面２０は放物線を描くように形成してもよい。
【産業上の利用可能性】
【００２４】
本発明のリッドロック機構は、ＭＤやカセットテープなどの記録再生装置への適用が可能である。
【図面の簡単な説明】
【００２５】
【図１】本発明のリッドロック機構の要部を示す図である。
【図２】同機構の反力特性を示す図である。
【図３】同機構の動作を説明する図である。
【図４】同機構の動作を説明する図である。
【図５】同機構の動作を説明する図である。
【図６】同機構の動作を説明する図である。
【図７】従来の機構の動作を説明する図である。
【図８】従来の機構の動作を説明する図である。
【図９】従来の機構の動作を説明する図である。
【図１０】図１と対応する従来例を示す図である。
【図１１】図２と対応する従来例を示す図である。
【図１２】ＭＤの記録再生装置を示す斜視図である。
【図１３】図１２のＡ−Ａ線断面図である。
【符号の説明】
【００２６】
１  ＭＤの記録再生装置
２  筐体
２ａ  開口部
２ｂ  周壁部
２ｃ  開口縁
３  リッド
３ａ  周壁部
４  ヒンジ
５  ガイド部材
６  ロックレバー
７  長孔
８  ボス部
９  スプリング係止部
１０  スプリング
１１  ロック爪
１３  係合面
１４  係止プレート
１５  固定爪
１６  傾斜面
１７  係止面
２０  傾斜面
Ｐ  当接箇所
【図１】
2005222619.tif 000003
【図２】
2005222619.tif 000004
【図３】
2005222619.tif 000005
【図４】
2005222619.tif 000006
【図５】
2005222619.tif 000007
【図６】
2005222619.tif 000008
【図７】
2005222619.tif 000009
【図８】
2005222619.tif 000010
【図９】
2005222619.tif 000011
【図１０】
2005222619.tif 000012
【図１１】
2005222619.tif 000013
【図１２】
2005222619.tif 000014
【図１３】
2005222619.tif 000015